(57)【特許請求の範囲】
【請求項１】
ラベル連続体のラベルに印字し、当該ラベルを台紙から剥離し、物品に貼り付けるための携帯式ラベル印字貼付機であって、
この携帯式ラベル印字貼付機に開閉可能に取り付けられるカバー部と、
このカバー部に揺動可能に取り付けられるとともにインキローラーを取り付けるための開口部を形成したローラー取付け部と、
このローラー取付け部に取り付けられるインキローラーと、
前記カバー部に設けられ、前記ローラー取り付け部の揺動に従って前記インキローラーに当接して前記開口部の開口方向へ押し出すための押し出し手段と、を有することを特徴とする携帯式ラベル印字貼付機。  
【請求項２】
前記ローラー取付け部は、取付けベースと、ローラー支持部と、からなり、このローラー支持部に開口部を形成するとともに前記ローラー支持部は前記取付けベースに着脱可能に係合することができる、ことを特徴とする請求項１記載の携帯式ラベル印字貼付機。
【請求項３】
前記押し出し手段は突起であり、前記ローラー取付け部が前記カバー方向に遥動したとき、前記押し出し手段の先端が前記インキローラーに当接し、このインキローラーを前記開口部方向へ押し出すことを特徴とする請求項１および２に記載の携帯式ラベル印字貼付機。
【請求項４】
携帯式ラベル印字貼付機に開閉可能に取り付けられるカバー部と、
このカバー部に揺動可能に取り付けられるとともにインキローラーを取り付けるための開口部を形成したローラー取付け部と、
このローラー取付け部に取り付けられるインキローラーと、
このインキローラーを前記開口部から押し出すための押し出し手段と、を有することを特徴とする携帯式ラベル印字貼付機のインキローラー取り外し方法であって、
前記カバー部を開位置へ移動させるカバー部開工程と、
前記押し出し手段によって前記インキローラーを前記開口部から脱着させるインキローラー脱着工程と、を有することを特徴とする携帯式ラベル印字貼付機のインキローラー取り外し方法。
【請求項５】
携帯式ラベル印字貼付機に開閉可能に取り付けられるカバー部と、
このカバー部に揺動可能に取り付けられるとともにインキローラーを取り付けるための開口部を形成したローラー取付け部と、
このローラー取付け部に取り付けられるインキローラーと、
このインキローラーを前記開口部から押し出すための押し出し手段と、を有し、
前記ローラー取付け部は、取付けベースと、ローラー支持部と、からなり、前記ローラー支持部は前記取付けベースに着脱可能に係合することができる、ことを特徴とする携帯式ラベル印字貼付機のインキローラー交換方法であって、
前記カバー部を開位置へ移動させるカバー部開工程と、
前記押し出し手段によって前記インキローラーを前記開口部から脱着させるインキローラー脱着工程と、
前記ローラー支持部と前記取付けベースとの係合を解除するローラー支持部係合解除工程と、
交換用インキローラーを前記ローラー支持部の前記開口部に取り付けるインキローラー取付工程と、
このローラー支持部と前記取付けベースとを係合するローラー支持部係合工程と、
前記カバー部を閉位置へ移動させるカバー部閉工程と、を有することを特徴とする携帯式ラベル印字貼付機のインキローラー交換方法。
【発明の詳細な説明】
【技術分野】
【０００１】
本発明は携帯式ラベル印字貼付機および携帯式ラベル印字貼付機のインキローラー取り外し方法およびインキローラー交換方法にかかるもので、とくに印字器にインキを供給するためのインキローラーを交換する必要がある携帯式ラベル印字貼付機、および携帯式ラベル印字貼付機のインキローラー取り外し方法およびインキローラー交換方法に関するものである。
【背景技術】
【０００２】
従来の携帯式ラベル印字貼付機は、帯状の台紙（剥離紙）に複数枚のラベルを仮着したラベル連続体を装填し、このラベル連続体を移送し、印字し、台紙からラベルを剥離し、所定の物品に貼り付けるものであるが、印字器によるスタンプ印字のためのインキローラーを必要とし、このインキローラーの交換ないし取付け、取り外し作業が面倒であるという問題がある。
従来のインキローラー交換機構としては、貼付機本体の前方からインキローラーをそのホルダーごと取り外してインキローラーを取り替えるようなものもあるが、インキローラーによる手などの汚れを気にせずに、その交換作業をすばやく行なうことは困難であるという問題がある。
【０００３】
なお、特許文献１のような技術も開発されているが、インキローラーによる手の汚れおよび貼付機自体の汚れを防止することは困難であった。
【０００４】
【特許文献１】実用新案登録第３００８００３号公報
【発明の開示】
【発明が解決しようとする課題】
【０００５】
本発明は以上のような諸問題にかんがみなされたもので、インキローラーの取扱いが容易かつ簡便である携帯式ラベル印字貼付機、インキローラーの取り外し方法およびインキローラーの交換方法を提供することを課題とする。
【０００６】
また本発明は、インキローラーのインキローラーの取り外しないし交換作業に伴う作業者の手および貼付機自体の汚れを防止可能な携帯式ラベル印字貼付機、インキローラーの取り外し方法およびインキローラーの交換方法を提供することを課題とする。
【０００７】
また本発明は、インキローラーによる手などの汚れを気にせずに、インキローラーの取り外しないし交換作業を確実かつ迅速に実行可能な携帯式ラベル印字貼付機、インキローラーの取り外し方法およびインキローラーの交換方法を提供することを課題とする。
【課題を解決するための手段】
【０００８】
すなわち本発明は、インキローラーの支持軸を軸支する切り欠きの可撓性によりインキローラーを取り外しおよび交換することに着目したもので、第一の発明は、ラベル連続体のラベルに印字し、当該ラベルを台紙から剥離し、物品に貼り付けるための携帯式ラベル印字貼付機であって、この携帯式ラベル印字貼付機に開閉可能に取り付けられるカバー部と、このカバー部に揺動可能に取り付けられるとともにインキローラーを取り付けるための開口部を形成したローラー取付け部と、このローラー取付け部に取り付けられるインキローラーと、前記カバー部に設けられ、前記ローラー取り付け部の揺動に従って前記インキローラーに従って前記開口部の開口方向へ押し出すための押し出し手段と、を有することを特徴とする携帯式ラベル印字貼付機である。  
【０００９】
また、上記ローラー取付け部は、取付けベースと、ローラー支持部と、からなり、このローラー支持部に開口部を形成するとともに前記ローラー支持部は前記取付けベースに着脱可能に係合することができる、ことを特徴とする請求項１記載の携帯式ラベル印字貼付機である。
【００１１】
前記押し出し手段は突起であり、前記ローラー取付け部が前記カバー方向に遥動したとき、前記押し出し手段の先端が前記インキローラーに当接し、このインキローラーを前記開口部方向へ押し出すことを特徴とする携帯式ラベル印字貼付機である。
【００１２】
第二の発明は、携帯式ラベル印字貼付機に開閉可能に取り付けられるカバー部と、このカバー部に揺動可能に取り付けられるとともにインキローラーを取り付けるための開口部を形成したローラー取付け部と、このローラー取付け部に取り付けられるインキローラーと、
このインキローラーを前記開口部から押し出すための押し出し手段と、を有することを特徴とする携帯式ラベル印字貼付機のインキローラー取り外し方法であって、前記カバー部を開位置へ移動させるカバー部開工程と、前記押し出し手段によって前記インキローラーを前記開口部から脱着させるインキローラー脱着工程と、を有することを特徴とする携帯式ラベル印字貼付機のインキローラー取り外し方法である。
【００１３】
また、携帯式ラベル印字貼付機に開閉可能に取り付けられるカバー部と、このカバー部に揺動可能に取り付けられるとともにインキローラーを取り付けるための開口部を形成したローラー取付け部と、このローラー取付け部に取り付けられるインキローラーと、このインキローラーを前記開口部から押し出すための押し出し手段と、を有し、前記ローラー取付け部は、取付けベースと、ローラー支持部と、からなり、前記ローラー支持部は前記取付けベースに着脱可能に係合することができる、ことを特徴とする携帯式ラベル印字貼付機のインキローラー交換方法であって、前記カバー部を開位置へ移動させるカバー部開工程と、前記押し出し手段によって前記インキローラーを前記開口部から脱着させるインキローラー脱着工程と、前記ローラー支持部と前記取付けベースとの係合を解除するローラー支持部係合解除工程と、交換用インキローラーを前記ローラー支持部の前記開口部に取り付けるインキローラー取付工程と、このローラー支持部と前記取付けベースとを係合するローラー支持部係合工程と、前記カバー部を閉位置へ移動させるカバー部閉工程と、を有することを特徴とする携帯式ラベル印字貼付機のインキローラー交換方法である。
【発明の効果】
【００１４】
以上のように本発明による携帯式ラベル印字貼付機、インキローラーの取り外し方法およびインキローラーの交換方法においては、押し出し手段によってインキローラーを取り付ける切り欠きからインキローラーを脱着し、また、開口部を形成するローラー支持部を着脱可能としたので、作業者はインキローラーを直接触れることなく、ローラー取付け部またはローラー支持部の操作のみでインキローラーを取り外し、取り付けることができるため、手はもちろん貼付機本体を汚すことなく、かつ手の汚れの心配がないので、安心して迅速に交換作業を行なうことができる。
【発明を実施するための最良の形態】
【００１５】
つぎに本発明の実施の形態による携帯式ラベル印字貼付機を図１乃至図６にもとづき説明する。
【００１６】
図１は、携帯式ラベル印字貼付機１の概略側面図であり、携帯式ラベル印字貼付機１は、貼付機前部カバー２と、操作部３と、ラベル保持部４と、ラベル移送部５と、印字器６と、インキローラー７と、ローラー取付け部８と、ラベル剥離部９と、ラベル貼付部１０と、を有する。
図２は、ローラー取付け部８の斜視図である。
【００１７】
貼付機前部カバー２は、貼り付けローラー３１の軸心３１Ａを中心に回動可能に携帯式ラベル貼付機１に取り付けられ、貼付機前部カバー２の一端には、ローラー取付け部８を揺動可能に取り付けるためのベース支持部材２６を有している。また、貼付機前部カバー２における、インキローラー７のフランジ２０の外周面２０Ａと対向する位置に、インキローラー７をローラー取付け部８（ローラー支持部３３）から脱着させるための一対の押し出し手段２８（突起２８）を有している。
【００１８】
操作部３は、たとえばレバー部材としてこれを形成し、作業者が携帯式ラベル印字貼付機１の本体側板と一体形成するグリップ１１とともに握持および握持開放するように操作するもので、レバー軸１２のまわりにこれを回動操作することにより、ラベル移送部５、印字器６およびインキローラー７（ローラー取付け部８）を稼働させる。
【００１９】
ラベル保持部４は、帯状のラベル連続体１３をロール状にした状態で保持する。
ラベル連続体１３は、帯状の台紙１３Ａに複数枚のラベル１３Ｂを仮着したものである。
【００２０】
ラベル移送部５は、操作部３に連結した連結駆動部１４と、連結駆動部１４により回転駆動する移送ローラー１５と、を有する。
移送ローラー１５がラベル連続体１３（台紙１３Ａ）と係合し、操作部３の操作により移送ローラー１５が間欠回転駆動してラベル保持部４からラベル連続体１３を繰り出して移送する。
【００２１】
印字器６は、操作部３の先端部に形成した左右一対のヨーク１６においてこれを挟持してあって、操作部３の握持操作により、インキローラー７が印字器６のスタンプ用活字１７にインキを供給塗布し、プラテン１８の上を移送されてくるラベル連続体１３（ラベル１３Ｂ）にスタンプ印字する。
【００２２】
ローラー取付け部８は、取付けベース３２と、ローラー支持部３３と、を有し、取付けベース３２とローラー支持部３３は、取付けベース３２に設けるテーパー状の凹溝３２Ａとローラー支持部３３に設けるテーパー状の凸部３３Ａによってスライド着脱可能に嵌合される。
また、取付けベース３２は、貼付機前部カバー２の一端に設けられたベース支持部材２６に、ベース支持部材２６に設けられた揺動軸２７を中心に揺動可能に支持され、貼付機前部カバー２と取付けベース３２の間に設けるコイルバネ２５により、貼付機前部カバー２が図１に示す位置にあるとき、ローラー取付け部８（取付けベース３２）を印字器６方向（図１中時計方向）に付勢して、取付けベース３２に嵌合されたローラー支持部３３におけるインキローラー７（ローラー本体２１）を印字器６のスタンプ用活字１７の下方部に位置させるとともに、操作部３の握持操作にともなう印字器６すなわちヨーク１６の下降動作により、印字器６から図１中反時計方向にこれを揺動可能とする。
【００２３】
ローラー支持部３３は、インキローラー７を回転自在かつ着脱可能に取付けるもので、可撓性素材からなる左右一対のアーム２３と、左右一対の切り欠き２４と、テーパー状の凸部３３Ａと、揺動規制突起２９と、を有する。なお、切り欠き２４の開口部３４の最狭部の径はインキローラー７の支持軸１９の直径よりも狭く形成し、切り欠き２４の軸受部３５は支持軸１９の直径よりもわずかに大きく形成する。
【００２４】
インキローラー７は、携帯式ラベル印字貼付機１の左右一対の本体側板（図示せず）の間に位置して、ローラー取付け部８のローラー支持部３３にこれを回転可能かつ着脱可能に取付ける。
インキローラー７は、とくに図２に示すように、インキを含侵しているスポンジ製のローラー本体２１と、このローラー本体２１の両端に位置する一対の支持フランジ２０と、この支持フランジ２０から延出する一対の支持軸１９と、を有し、一対の支持軸１９各々の自由端近傍が、ローラー支持部３３の切り欠き２４の軸受部３５に回転自在かつ着脱可能に軸支され、インキローラー７を取付ける。
【００２５】
ラベル剥離部９は、左右一対の携帯式ラベル貼付機１の側板にまたがった転向ピン３０を有し、移送部５の動作にともなってラベル連続体１３のラベル１３Ｂを台紙１３Ａから剥離して、剥離したラベル１３Ｂをラベル貼付部１０の下方に位置させる。
【００２６】
ラベル貼付部１０は、貼付けローラー３１を有し、ラベル剥離部９から剥離されたラベル１３Ｂを所定の物品に貼り付け可能とする。
【００２７】
携帯式ラベル印字貼付機１は、その非操作時には、貼付機前部カバー２が印字貼付機１の左右一対の本体側板（図示せず）と係合し、貼付機前部カバー２が印字器６に近接し、インキローラー７が印字器６のスタンプ用活字１７の下部に位置する閉位置にあり（図１）、ラベル１３Ｂを所定の物品に貼り付けるには、まず、携帯式ラベル印字貼付機１の操作部３およびグリップ１１を一緒に握持して操作部３をレバー軸１２の周りに時計方向に操作すると、印字器６が同じく時計方向にプラテン１８の方向に向かって移動し、インキローラー７がスタンプ用活字１７にインキを塗布し、プラテン１８上のラベル連続体１３（ラベル１３Ｂ）に印字を行なう。
次に、操作部３の握持を開放することにより、ラベル移送部５において連結駆動部１４が移送ローラー１５を図１中反時計方向に回転駆動し、ラベル連続体１３を下流側に移送するとともに、ラベル連続体１３の台紙１３Ａのみをラベル剥離部９の転向ピン３０において転向させ、台紙１３Ａからラベル１３Ｂを剥離する。
この状態で、操作者が携帯式ラベル印字貼付機１全体を所定の物品に向かって打ち出すように操作し、ラベル貼付部１０の貼付ローラー３１によりラベル１３Ｂを所定の物品に貼り付けることができる。
【００２８】
こうした構成の携帯式ラベル印字貼付機１において、携帯式ラベル印字貼付機１のローラー取付け部８からのインキローラー７の取り外し作業および交換作業について以下説明する。
【００２９】
ローラー取付け部８からインキローラー７を取り外すには、まず、貼付機前部カバー２と印字貼付機１の本体側板（図示せず）との係合を解除し、貼付機前部カバー２を貼り付けローラー３１の軸心３１Ａを中心に回転させ、貼付機前部カバー２が印字器６から離間し、インクローラー７が露出した開位置に移動させる（図３）（カバー部開工程）。
その上で、ローラー取付け部８（取付けベース３２）を、コイルバネ２５の付勢力に抗して貼付機前部カバー２方向へ付勢することにより、インキローラー７の支持フランジ２０の外周面２０Ａが、貼付機前部カバー２に設けられた押し出し手段２８としての突起２８に当接し（図４）、さらに押圧することで、インキローラー７の支持軸１９が可撓性素材からなるアーム２３の切り欠き２４の開口部３４を広げ、支持軸１９が切り欠き２４（軸受部３５）から押し出され、インキローラー７がローラー支持部３３から脱着する（インキローラー脱着工程）。この間、切り欠き２４の開口部３４の最狭部の径は、アーム２３の可撓性によって、支持軸１９の直径と略等しい径まで開口し、支持軸１９が切り欠き２４から脱着するとともに再び支持軸１９の直径よりも狭い径に復帰する。
なお、閉位置におけるインキローラー７の揺動時、すなわち操作部３の握持操作にともなうインキローラー７の反時計方向への揺動時には、ローラー取付け部８の揺動規制突起２９が携帯式ラベル印字貼付機１の側板の内壁に設けられたリブ（図示せず）に当たり、その揺動幅が制限され、押し出し手段２８が支持フランジ２０の外周面２０Ａに当接することはない。
【００３０】
ローラー取付け部８に新しいインキローラー７を取付けるには、ローラー支持部３３をインキローラー７の支持軸１９の軸方向にスライドし取付けベース３２から取り外した上で（ローラー支持部係合解除工程）、ローラー支持部の切り欠き２４の開口部３４に、インキローラー７の一対の支持軸１９の自由端部が位置するようローラー支持部３３を卓上に載置された新しいインキローラー７に対して操作し、（図５）ローラー支持部３３を下方へ押圧することによって、インキローラー７の支持軸１９が可撓性素材からなるアーム２３の切り欠き２４の開口部３４を広げ、切り欠き２４の軸受部３５へ支持軸１９（インキローラー７）が嵌め込まれ、軸支される（図６）（インキローラー取付工程）。この間、切り欠き２４の開口部３４の最狭部の径は、アーム２３の可撓性によって、支持軸１９の直径と略等しい径まで開口し、軸受部３５への支持軸１９の軸支とともに再び支持軸１９の直径よりも狭い径に復帰する。
さらにインキローラー７が取付けられたローラー支持部３３のテーパー状の凸部３３Ａを、取付けベース３２のテーパー状の凹溝３２Ａにスライド嵌合させ（ローラー支持部係合工程）、貼付機前部カバー２を貼り付けローラー３１の軸心３１Ａを中心に図１に示す閉位置へ移動し、携帯式ラベル印字貼付機１の左右一対の本体側板に係合することによってインキローラー７を印字器６のスタンプ用活字１７の下部に位置させる（図１）（カバー部閉工程）。
【００３１】
かくして、作業者は、インキローラー７のインキにより自分の手を汚すことなく、また、携帯式ラベル印字貼付機１本体を汚すこともなく、きわめて簡単かつ確実、迅速にインキローラー７を取り外し、かつ交換することができる。
【００３２】
なお、図２に示される押し出し手段２８は、貼付機前部カバー２の、インキローラー７のフランジ２０の外周面２０Ａと対向する位置に設けてなる一対の突起として形成してあるが、これをインキローラー７の支持軸１９方向に伸びる一本の凸部として形成してもよく、また、支持軸１９をローラー支持部３３のアーム２３から軸方向に突出するよう構成し、突出した支持軸１９を押し出し手段２８（突起２８）によって押し出し、インキローラーを取り外すよう構成してもよい。
【図面の簡単な説明】
【００３３】
【図１】本発明の実施の形態に係る携帯式ラベル印字貼付機１の概略側面図。
【図２】同上、ローラー取付け部８およびカバー２のの斜視図。
【図３】同上、携帯式ラベル印字貼付機１の概略側面図であって、カバーを開位置へ移動させた状態を示している。
【図４】同上、携帯式ラベル印字貼付機１の概略側面図であって、カバーを開位置へ移動させ、ローラー取付け部を押し出し手段へ当接させた状態を示している。
【図５】同上、取付けベース３２との係合を解除したローラー支持部３３およびインキローラー７の概略側面図であって、切り欠き２４の開口部にインキローラー７の支持軸１９を位置させた状態を示している。
【図６】同上、ローラー支持部３３およびインキローラー７の概略側面図であって、インキローラー７が切り欠き２４の軸受部３５に嵌め込まれた状態を示している。
【符号の説明】
【００３４】
１  携帯式ラベル印字貼付機
２  貼付機前部カバー（カバー部）
３  操作部
４  ラベル保持部
５  ラベル移送部
６  印字器
７  インキローラー
８  ローラー取付け部
９  ラベル剥離部
１０  ラベル貼付部
１１  ブリップ
１２  レバー軸
１３  ラベル連続体
１３Ａ  台紙
１３Ｂ  ラベル
１４  連結駆動部
１５  移送ローラー
１６  ヨーク
１７  スタンプ用活字
１８  プラテン
１９  支持軸
２０  支持フランジ
２０Ａ  外周面
２１  ローラー本体
２３  アーム
２４  切り欠き
２５  コイルバネ
２６  ベース支持部材
２７  揺動軸
２８  押し出し手段（突起）
２９  揺動規制突起
３０  転向ピン
３１  貼り付けローラー
３１Ａ  軸心
３２  取付けベース
３２Ａ  テーパー状の凹溝
３３  ローラー支持部
３３Ａ  テーパー状の凸部
３４  開口部
３５  軸受部
【図１】
0004828968.tif 000002
【図２】
0004828968.tif 000003
【図３】
0004828968.tif 000004
【図４】
0004828968.tif 000005
【図５】
0004828968.tif 000006
【図６】
0004828968.tif 000007